(57)【要約】【課題】運転計測スイッチに不具合が生じても、運転事故を未然に確実に防止し、安全性の高いものを提供する。【解決手段】本発明に係る空気調和機の運転制御装置は、室外機の制御基板に運転操作スイッチを設け、この操作スイッチにより室外機側から空気調和機の運転が可能であり、かつ、運転操作スイッチの操作時間如何により、室外機側から複数の運転モードの選択を可能としたものである。前記運転操作スイッチは操作時間が所要の基準時間を超えて操作し続けられた場合、空気調和機の運転を停止させるものである。【選択図】  図５
2011202924.tif 000002
【特許請求の範囲】
【請求項１】
室外機の制御基板に運転操作スイッチを設け、この操作スイッチにより室外機側から空気調和機の運転が可能であり、かつ、運転操作スイッチの操作時間如何により、室外機側から複数の運転モードの選択を可能とした空気調和機の運転制御装置において、
前記運転操作スイッチは操作時間が所要の基準時間を超えて操作し続けられた場合、空気調和機の運転を停止させることを特徴とする空気調和機の運転制御装置。
【請求項２】
前記運転操作スイッチに選択される運転モードには、運転制限時間のない運転と運転に制限時間がかかる運転とがある請求項１記載の空気調和機の運転制御装置。
【請求項３】
前記運転操作スイッチが所要の基準時間を超える操作より空気調和機の運転が停止されても、空気調和機は、室内機側の操作リモコンにより運転操作される請求項１記載の空気調和機の運転制御装置。
【発明の詳細な説明】
【技術分野】
【０００１】
本発明は、室外機側から空気調和機の運転が可能な空気調和機の運転制御装置に係り、特に、運転操作スイッチの短絡故障時にも、空気調和機の安全性を損なうことなく信頼性の高い空気調和機の運転制御装置に関する。
【背景技術】
【０００２】
空気調和機には、冷暖房・除湿等の室内機側の操作リモコンで運転する通常運転モードと、製造時やメンテナンス時に通常運転モードより時間を短縮して空気調和機を運転し、調整するための試運転（応急運転）モードとを備えたものがある。
【０００３】
また、業務用等の比較的大型の空気調和機には、室外機側のスイッチ操作で冷凍サイクル内の冷媒を室外機側に自動的に回収させる冷媒回収モードの機能を備えたものがある。
【０００４】
冷媒回収モードを備えた空気調和機では、室外機の操作スイッチが、冷媒回収モードや冷媒回収モード以外の運転（試運転）モードを振り分けて実行させるために、空気調和機の運転制御装置は、操作スイッチの操作時間（押し操作時間）が計測されるように構成されている（特許文献１参照）。
【先行技術文献】
【特許文献】
【０００５】
【特許文献１】特開平１０−２４６５４０号公報
【発明の概要】
【発明が解決しようとする課題】
【０００６】
従来の空気調和機の運転制御装置では、運転操作スイッチに復帰型スイッチが用いられ、この操作スイッチにより、第２の基準時間より長い押圧操作が続いたとき、エラーをブザーの連続音で報知し、周辺に知らせるようになっている。しかし、従来では運転操作スイッチに短絡故障が生じたときには、操作スイッチをＯＦＦにすることができず、冷媒回収モードやこのモード以外の試運転モードの運転を実施することができない。
【０００７】
さらに、空気調和機の運転制御装置には、運転時間の制限がある冷媒回収モードの運転と、運転時間の制限がない運転モード、例えば試運転モードの運転がある。運転操作スイッチに短絡故障が生じると、運転時間制限無しの試運転時において、ユーザが不意に空気調和機内の回転物に接触する虞があり、安全性と信頼性に欠けるという課題があった。
【０００８】
本発明は、上述した事情を考慮してなされたもので、運転操作スイッチに短絡故障等の不具合が生じても、運転事故を未然に確実に防止し、安全性の高い空気調和機の運転制御装置を提供することを目的とする。
【０００９】
本発明の他の目的は、運転操作スイッチの操作継続時間が所要の基準時間を超えた場合に、室外機側から運転を停止させ、運転操作スイッチの短絡故障等の不具合に対して安全性の高い空気調和機の運転制御装置を提供するものである。
【課題を解決するための手段】
【００１０】
本発明に係る空気調和機の運転制御装置は、上述した課題を解決するために、室外機の制御基板に運転操作スイッチを設け、この操作スイッチにより室外機側から空気調和機の運転が可能であり、かつ、運転操作スイッチの操作時間如何により、室外機側から複数の運転モードの選択を可能とした空気調和機の運転制御装置において、前記運転操作スイッチは操作時間が所要の基準時間を超えて操作し続けられた場合、空気調和機の運転を停止させることを特徴とするものである。
【発明の効果】
【００１１】
本発明に係る空気調和機の運転制御装置は、運転計測スイッチに短絡故障等の不具合時に運転を実施せず、運転事故を未然に防止し、信頼性が高く安全性に優れた運転制御を行なうことができる。
【図面の簡単な説明】
【００１２】
【図１】空気調和機の室外機の一例を示す構造を示す斜視図。
【図２】図１の室外機の機械室に配置される室外制御基板収納箱の内部構造例を示す図。
【図３】（Ａ）および（Ｂ）は室外制御基板収納箱の制御基板に配置される押ボタンスイッチと表示手段を示す簡略的な正面図および側面図。
【図４】本発明に係る空気調和機の運転制御装置を示す概略構成図。
【図５】室外機の押ボタンスイッチの押し続け（操作継続）時間と運転モードの関係を示す図。
【図６】本発明に係る空気調和機の運転制御装置において実施される室外機側の押ボタンスイッチ制御による制御フローを示すフローチャート。
【発明を実施するための形態】
【００１３】
本発明に係る空気調和機の運転制御装置の実施の形態について添付図面を参照して説明する。
【００１４】
図１に示すように、室外機１０は、数台の室内機（図示せず）を接続してマルチタイプの空気調和機が構成される。室外機１０は、ボックス状のユニット本体１１を有し、このユニット本体１１内は仕切板１２により機械室１３と送風機室１４に仕切られる。
【００１５】
送風機室１４には、室外送風機１５が収容され、この送風機１５の背面側および側面側に室外熱交換器１６が設けられる。室外送風機１５の前面側は吹出口を備えたファンガード１７が設けられる。
【００１６】
一方、機械室１３には、下部にコンプレッサ１９およびアキュムレータ（図示せず）等が設けられ、機械室１３の上部に電気部品箱２０が設けられる。
【００１７】
図２に示すように、電気部品箱２０は、前側に室外制御基板収納箱２１が配設され、この室外制御基板収納箱２１内に室外制御基板２２が設けられる。室外制御基板２２は、大電流用制御基板で、インバータ装置の構成部品であるキャパシタ２４やパワー素子(図示せず)等が取り付けられる。
【００１８】
また、室外制御基板２２の前方にマイコン系制御基板２７が設けられ、この制御基板２７にも、コネクタ２８等の種々の電気部品が設けられる。
【００１９】
室外制御基板２２には、前面側に押ボタンスイッチである運転操作スイッチ３０が設けられ、この運転操作スイッチ３０の近傍にＬＥＤランプ等の表示手段３１が設けられる。表示手段３１には、複数、例えば２つのＬＥＤランプが備えられる。
【００２０】
なお、運転操作スイッチ３０および表示手段３１は、室外制御基板２２に設ける代りに、マイコン系制御基板２７の前面側に取り付けてもよい。また、表示手段３１は、複数のＬＥＤランプではなく、液晶表示板により構成してもよい。
【００２１】
室外制御基板２２およびマイコン系制御基板２７は制御基板収納箱３３の中に配設され、前面側がユニット本体１１の前キャビネットで覆われている。従って、室外制御基板２２またはマイコン系制御基板２７に設けられる運転操作スイッチ３０および表示手段３１は、通常外部に露出しておらず、ユニット本体１１の前キャビネットにより覆われている。
【００２２】
［室外機の制御基板上の運転操作スイッチによる運転制御］
空気調和機は、冷暖房や除湿のために本来目的で運転する通常運転モードと、据付け時やメンテナンスサービスマンが通常運転モードよりも時間を短縮して運転モードの動作確認を行うための試運転（応急運転）モードとを備えている。
【００２３】
空気調和機の試運転は、図３（Ａ），（Ｂ）に示すように、室外機１０の室外制御基板収納箱２１内の室外制御基板２２またはマイコン系制御基板２７に設けられた運転操作スイッチ３０の操作によって行なわれる。運転操作スイッチ３０には、自動復帰型スイッチの押ボタンスイッチが用いられ、この押ボタンスイッチでなる運転操作スイッチ３０の押し続け（操作継続）時間（ｔ）如何により、運転モードが振り分けられる。この運転操作スイッチ３０の操作で作動する空気調和機の運転モードは１つではなく、試運転モード、冷媒回収モードの運転モードが存在する。試運転の運転モードでは、運転時間制限はなく、試運転に一旦入ると運転が継続される。冷媒回収運転の場合には、空気調和機の機種によって異なるが、運転時間制限があり、運転時間は所要の時間、例えば１０分と予め定められる。
【００２４】
運転操作スイッチ３０は図４に示すように、室外制御器を構成するコントローラ（マイコン，ＣＰＵ，ＭＰＵ等）３６に接続され、このコントローラ３６を介して運転モードが試運転Ａ、冷媒回収運転Ｂあるいは運転停止Ｃに振り分けられる。そのときの運転モードは、ＬＥＤランプ等の表示手段３１に表示される。
【００２５】
［押ボタンスイッチ操作による運転モード例を示すフローチャート］
空気調和機は、押ボタンスイッチでなる運転操作スイッチ３０の押し続け時間如何により、運転モードが選択されて、図５および図６に示すように運転制御される。室外機１０の室外制御基板２２またはマイコン系制御基板２７に設けられた運転操作スイッチ３０を操作しない場合は、図５に示すように、空気調和機の室外機のコントローラの運転モードは停止モードとなっている。この場合、空気調和機の運転は図示しない室内機側の操作リモコンの運転指令に従って操作される。
【００２６】
図６に示すように、室外機１０の押ボタンスイッチでなる運転操作スイッチ３０を第１基準時間であるａ秒（例えば１０秒）以内押し続けてスイッチを放した場合、試運転Ａの運転モードが選択されて、空気調和機は試運転モードで運転される。また、運転操作スイッチ３０を第１基準時間（ａ秒）を超えて第２基準時間のｂ秒（例えば６０秒）まで押し続けて放した場合には、冷媒回収運転Ｂの運転モードが選択されて、例えば、１０分間の冷媒回収運転Ｂが実行される。この冷媒回収運転Ｂの実行により、冷凍サイクル内の冷媒は室外機１０側の容器に回収される。
【００２７】
さらに、運転操作スイッチ３０を第２基準時間（ｂ秒）を超えて押し続けると、空気調和機の運転は自動的に運転停止モードとなる。このため、その後の空気調和機の運転は、室内機側の操作リモコンの運転指令に従って運転が操作される。
【００２８】
室外機側の運転操作スイッチ３０による空気調和機の運転は、室外制御器であるコントローラ３６に組み込まれたプログラムにより、図６に示されるフローチャートに従って運転制御される。
【００２９】
具体的には、運転操作スイッチ３０は、第２基準時間（ｂ時間）を超えて押し続けてＯＮ操作し続けても、コントローラ３６により空気調和機の運転は停止される。その後の空気調和機の運転は、室内機側の操作リモコンの運転操作に従うこととなる。したがって、運転操作スイッチ３０の操作の際、スイッチが戻らず短絡状態となる故障に対して、空気調和機は運転停止モードに設定されるため、サービス点検時などで、サービスマンが室外機の点検の際、空気調和機の回転物に接触することがあったとしても安全で、信頼性が高い空気調和機を提供できる。
【００３０】
さらに、この空気調和機においては、運転モードの試運転Ａと冷媒回収運転Ｂとを逆に設定し試運転Ａを冷媒回収運転Ｂより長く押すようにした仕様においても、運転操作スイッチ３０に短絡故障が生じた場合、通常長く押されたことにより、運転時間制限無しの試運転が継続されることになるが、この場合にも、押された時間が所定時間継続すると停止モードとなるため、空気調和機は、第２基準時間（ｂ時間）を超えて運転されることがなく、運転停止されるので、運転操作スイッチ３０の短絡故障に対して安全サイドの空気調和機を提供することができる。
【００３１】
また、運転操作スイッチ３０を第２基準時間（ｂ秒）を超えて、長押しした場合には、空気調和機は運転停止に至るが、この場合には、室内機側操作リモコンによる運転が可能となる。したがって、空気調和機は、室内機側の操作リモコンによる運転が可能で誤動作なく、ユーザ利用が可能となる。
【００３２】
この空気調和機の運転制御装置は、室外機１０側の運転操作スイッチ３０の押し時間が０秒である（操作しない）場合は始動されず、運転を停止したままである。この場合の空気調和機の運転は、室内側の操作リモコンに従った運転が行なわれる。また、室外機１０側の運転操作スイッチ３０の押し続け時間が第１基準時間（ａ秒）以下である場合、試運転Ａの運転モードで運転が行なわれ、運転操作スイッチ３０が第１基準時間（ａ秒）を超え第２基準時間（ｂ秒；ｂ秒＞ａ秒）まで押し続けて放すと、冷媒回収運転Ｂが行なわれ、冷凍サイクルの冷媒が所定時間で室外機側に回収される。運転操作スイッチ３０が第２基準時間（ｂ秒）を超えて押し続けると、運転を停止し、以後は室内機の操作リモコンの操作指令に従った運転となるので、安全性と信頼性を向上させることができる。
【符号の説明】
【００３３】
１０…室外機、１１…ユニット本体、１２…仕切板、１３…機械室、１４…送風機室、１５…室外送風機、１６…室外熱交換器、１７…ファンガード、１９…コンプレッサ、２０…電気部品箱、２１…室外制御基板収納箱、２２…室外制御基板、２４…キャパシタ、２７…マイコン系制御基板、３０…運転操作スイッチ（押ボタンスイッチ）、３１…表示手段、３６…コントローラ、Ａ…試運転、Ｂ…冷媒回収運転、Ｃ…運転停止。
【図１】
2011202924.tif 000003
【図２】
2011202924.tif 000004
【図３】
2011202924.tif 000005
【図４】
2011202924.tif 000006
【図５】
2011202924.tif 000007
【図６】
2011202924.tif 000008